(57)【要約】  筆記具機構は、中心軸を有し、第１の端部と第２の端部との間で前記中心軸に対して傾斜した方向において長手方向に延在したガイド（２０）を形成した、第１の縁部（１６）を有する第１の壁（１２）及び第２の縁部（１８）を有する第２の壁（１４）を含む管状の第１の要素（１０）を備えている。前記機構は、前記第１の要素（１０）に沿ってスライドするように適合され、前記ガイド（２０）内でスライドするニブ（２８）を含んだ第２の要素（２６）をさらに備えている。第２の壁（１４）は、前記中心軸（Ｚ）に対して放射方向で第１の壁（１２）に対して前記中心軸に向かってオフセットされている。
2008507437.tif 000002
【特許請求の範囲】
【請求項１】
中心軸（Ｚ）を有し、第１の端部（２２）と第２の端部（２４）との間で中心軸（Ｚ）に対して傾斜した方向で長手方向に延在したガイド（２０）を形成する、第１の縁部（１６）を有する第１の壁（１２）及び第２の縁部（１８）を有する第２の壁（１４）を備えた管状の第１の要素（１０）と、
前記第１の要素（１０）に沿ってスライドするように適合され、前記ガイド（２０）内でスライドするニブ（２８）を含む第２の要素（２６）と、
を備え、
前記第２の壁（１４）は、前記中心軸（Ｚ）に対して放射方向で前記第１の壁（１２）に対して前記中心軸（Ｚ）に向かってオフセットされていることを特徴とする筆記具機構。
【請求項２】
前記ガイド（２０）は、螺旋形状で長手方向に延在していることを特徴とする請求項１に記載の筆記具機構。
【請求項３】
前記壁（１２，１４）が円筒部材の一部を構成することを特徴とする請求項１又は２に記載の筆記具機構。
【請求項４】
前記縁部（１６，１８）のうち少なくとも１つの前記縁部が、横断方向で前記中心軸（Ｚ）に対して放射方向に延在していることを特徴とする請求項１〜３のいずれか一項に記載の筆記具機構。
【請求項５】
前記第１の縁部（１６）が、前記ガイドの第１の部分のみに亘って横断方向で前記中心軸（Ｚ）に対して放射方向に延在し、前記第２の縁部（１８）が、前記ガイドの第２の部分に亘って横断方向で前記中心軸（Ｚ）に対して放射方向に延在していることを特徴とする請求項１〜４のいずれか一項に記載の筆記具機構。
【請求項６】
前記ガイド（２０）が、６０°〜１８０°の角度範囲に亘り前記中心軸（Ｚ）を中心に延在していることを特徴とする請求項１〜５のいずれか一項に記載の筆記具機構。
【請求項７】
前記第１の縁部（１６）の内側横端部が、前記第２の縁部（１８）の外側横端部の半径と略同一とされる半径を有していることを特徴とする請求項１〜６のいずれか一項に記載の筆記具機構。
【請求項８】
前記第２の壁（１４）は、前記第１の壁（１２）の外側半径と略同一とされる外側半径を有した鍔（４０）を有し、
前記鍔（４０）は、前記中心軸（Ｚ）に対して横断方向に延在する平面内で延在している前記第１の壁（１２）の縁部（１６）に面した面を有していることを特徴とする請求項１〜７のいずれか一項に記載の筆記具機構。
【請求項９】
前記第１の要素（１０）が、プラスチック材料から成る単一片として製造されていることを特徴とする請求項１〜８のいずれか一項に記載の筆記具機構。
【請求項１０】
請求項１〜９のいずれか一項に記載の機構と、
前記中心軸（Ｚ）に沿って延在し、前記中心軸（Ｚ）に沿って並進運動する際に前記機構の前記第１の要素を案内するように適合された第１の部分（Ａ）、及び前記第２の要素（２６）が接続されている第２の部分（Ｂ）を備えた本体（４２）と、
前記本体（４２）の開口部を通じて前記中心軸（Ｚ）に沿って移動可能とされ、前記機構の前記第１の要素（１０）に接続されている筆記先端部と、
を備え、
前記第１の部分（Ａ）及び前記第２の部分（Ｂ）が、前記中心軸（Ｚ）回りに互いに対して回動するように取り付けられていることを特徴とする筆記具。
【請求項１１】
前記第１の要素（１０）が、プラスチック材料を射出成形することによって製造されることを特徴とする請求項１〜９のいずれか一項に記載の筆記具機構の製造方法。
【請求項１２】
前記第１の縁部（１６）及び前記壁（１２，１４）の外側部分を形成するように適合された少なくとも２つのハーフシェルを供給するステップと、
前記第２の縁部（１８）及び前記第１の要素（１０）の前記壁（１２，１４）の内側部分を形成するように適合されたコア（３６）を提供するステップと、
前記ハーフシェルと前記コア（３６）との間に材料を射出するステップと、
その後、前記中心軸（Ｚ）に対して放射方向（Ｘ）で放射状に離間するように前記シェルを移動させ、前記中心軸（Ｚ）に平行な方向に前記コア（３６）を引き抜くステップと、
を備えていることを特徴とする請求項１１に記載の筆記具機構の製造方法。
【発明の詳細な説明】
【技術分野】
【０００１】
本発明は、筆記具機構に関する。
【０００２】
さらに詳しくは、本発明は、中心軸を有し、第１の端部と第２の端部との間で中心軸に対して傾斜した方向で長手方向に延在しているガイドを形成する第１の縁部及び第２の縁部をそれぞれ有している第１の壁及び第２の壁を備えた管状の第１の要素を備えた筆記具機構に関する。
【背景技術】
【０００３】
前記機構は、第１の要素に沿ってスライドするように適合され、ガイド内でスライドするニブを含む第２の要素をさらに備えている。
【０００４】
多数の筆記具は、筆記先端部を引き出し又は引き込むためにこのような機構を含んでいる。
【０００５】
このような機構では、ガイドはカム経路（cam path）としても知られており、ニブをスライドさせる溝又はスロットの形態で製造される。
【０００６】
ガイドは、筆記具本体の部品のうち１つの部品の回転運動を筆記具の長手軸に沿った筆記先端部の並進運動に変換するために、特許文献１に示すように螺旋状とされる場合がある。それにもかかわらず、このタイプのガイドでは、ガイド内でニブをスライドさせることは摩擦のために困難であり、これにより利用者は大きな力を働かせる必要がある。
【特許文献１】仏国特許発明第２８０９６７１号明細書
【発明の開示】
【発明が解決しようとする課題】
【０００７】
本発明の目的は、従来技術の機構を改善すること、特に第１の要素と第２の要素との間の摩擦を抑制することによって、製造コストを増大させることなく快適な利用を実現することである。
【課題を解決するための手段】
【０００８】
このために、本発明においては、問題のこのような機構は、第２の壁が中心軸に対する放射方向に第１の壁に対して中心軸に向かってオフセットされていることを特徴とする。
【０００９】
この配置によって、カム経路を形成する縁部が互いに対してオフセットされているので、製造について制限を受けず、理想的な形状を形成する高い自由度を付与することができる。特に射出成形によって、スライドする第２の要素のニブに実質的に常に接線接触する縁部を有した第１の要素を製造可能となり、これにより縁部とニブとの間の接触を改善し、ガイドに沿ってニブを良好に案内する。
【００１０】
本発明の機構の様々な実施例は、長手方向に螺旋形状に延在しているガイド、円筒の一部を構成する壁、横断方向で中心軸に対して放射方向に延在する少なくとも１つの縁部、ガイドの第１の部分に亘り横断方向で中心軸に対して放射方向に延在する第１の縁部及びガイドの第２の部分に亘り横断方向で中心軸に対して放射方向に延在する第２の縁部、６０°から１８０°の角度範囲に亘り中心軸回りに延在するガイド、第２の縁部の外側の横端部の半径と略同一の半径を有する第１の縁部の内側の横端部、第１の壁の外側半径と略同一の外側半径を有した鍔を有する第２の壁、及びプラスチック材料の単一片として製造される第１の要素のうち任意に１つ以上の構成部材を含んでいる。
【００１１】
本発明は、第１の要素が筆記具本体の第１の部分に接続され、第２の要素が筆記具本体の第２の部分に接続され、第１の部分及び第２の部分が中心軸回りに互いに回動するように取り付けられている上述のような機構を含む筆記具も提供する。
【００１２】
さらには、本発明は、第１の縁部及び壁の外側部分を形成するように適合された少なくとも２つのハーフシェルを供給するステップと、第２の縁部及び第１の要素の壁の内側部分を形成するように適合されたコアを提供するステップと、２つのハーフシェルとコアとの間に材料を射出するステップと、その後に、中心軸に対して放射方向に放射状に離間するようにシェルを移動させ、中心軸に平行な方向にコアを引き抜くステップとによって特徴づけられる本発明の機構を製造する方法も提供する。
【００１３】
本発明の他の特徴及び利点は、添付する図面を参照すると共に、非限定的な例として示される以下の実施例における説明から明らかとなる。
【００１４】
様々な図面において、同一の参照符号は、同一又は類似する要素を示している。
【発明を実施するための最良の形態】
【００１５】
本発明の機構は、図６に表わすように、様々な筆記具、特にボールペン型の筆記具（implement of the ballpoint pen type）に適用可能である。
【００１６】
前記機構は、本発明の機構の第１の要素１０及び第２の要素２６にそれぞれ接続されたペン本体の第１の部分Ａとペン本体の第２の部分Ｂとの間で回動することによって、ペンの筆記先端部（writing tip）を引き込ませ、引き出し、又は所定位置で遮断することができる。このことは、格納位置（storage position）にある前記機構を示す図１に、より明確に表わされている。それにもかかわらず、前記機構は、筆記具の幾つか他の機能、例えば筆記具の後端で消しゴムを引き出すことを制御すること又は鉛筆芯を前進させるための機構を制御することを実行可能とされる場合がある。
【００１７】
前記機構は、中心軸（Ｚ）に沿って長手方向に延在した管状の第１の要素１０を備えている。この管状要素は壁１２，１４から構成され、各壁は円筒部材の一部によって形成される。管状要素１０は、中心軸Ｚに対して傾斜した方向に第１の端部２２と第２の端部２４との間で長手方向に延在しているガイド２０、又はカム経路を形成する第１の縁部１６及び第２の縁部１８をそれぞれ有する第１の壁１２及び第２の壁１４を有している。
【００１８】
ガイド２０は、第１の端部２２と第２の端部２４との間の角度である１８０°に亘って覆っている、一定間隔のピッチを有する螺旋形状とされる。図２は、第１の要素１０が図１に対して１８０°回転された図であり、第１の端部２２と相対的に１８０°隔てて配置された、ガイド２０の第２の端部２４を表わす。
【００１９】
前記機構は、中心軸Ｚに沿って延在する第１の要素１０に沿ってスライドするように適合された第２の要素２６をさらに備えている。この目的を達成するために、前記機構はガイド２０内に載置されガイド２０に沿ってスライドするニブ２８を含んでいる。
【００２０】
図１では、第２の要素２６は格納位置にある。すなわち、第２の要素２６の大部分は第１の要素１０の内側に受容されている。
【００２１】
第２の要素２６は、ニブ２８がガイド２０の第２の端部２４に位置する図１の格納位置と、ニブ２８がガイド２０の第１の端部２２に位置する図２の伸展位置（extended position）との間でスライドする。前記機構の格納位置は筆記先端部の引き出し位置（extended position）に相当する。そして、前記機構の伸展位置は筆記先端部の引き込み位置（retracted position）に相当する。
【００２２】
ガイド２０は、筆記先端部が前記引き出し位置にある場合にニブ２８の中心軸Ｚに沿った並進運動を防止するように、第１の端部２２から中心軸Ｚに対して横断方向に延在している所定位置に引き出される。しかしながら、ガイド２０は、前記ニブのスライドを容易にし、前記機構を格納位置から伸展位置に移動させて、結果的には筆記先端部を引き込み位置から引き出し位置に移動させるために、Ｚ軸に対して傾斜した方向において第２の端部２４に引き出される。筆記先端部は、圧力嵌めによって第１の要素１０に接続されている。
【００２３】
ニブ２８は、前記ガイドの縁部１６，１８上でスライドする。さらに、第１の壁１２及び第２の壁１４は中心軸Ｚに対して放射方向にオフセットされている。図４に表わされるように、第２の壁１４は、第１の壁１２から離間するように中心軸Ｚに向かう放射方向で前記第２の壁の周縁のすべての点でオフセットされている。この配置は、製造を限定せず、前記壁を理想的な形状とするための自由度を大きく付与する。特に、以下に説明する方法を利用することによって、横断方向で中心軸Ｚに対して放射方向に延在する縁部１６，１８を有し、このことが前記ガイドの第１の端部と第２の端部との間の縁部１６，１８のうち１つの縁部に沿った任意の点に該当するような第１の要素１０が製造可能になる。
【００２４】
図４に表わすように、第１の縁部１６の内側横端部（inside transverse end）は、２つの縁部１６，１８に平行な平面内にニブ２８を確実に保持するように、第２の縁部１８の外側横端部（outside transverse end）の半径Ｒ２１に略等しい半径Ｒ１１を有する。縁部１６と縁部１８との間においてオフセットされていること、すなわちＲ１１がＲ２１以上の大きさであるということが、ニブ２８を案内することに悪影響を及ぼさないことは言うまでもない。
【００２５】
縁部１６，１８は、横断方向、すなわち該縁部の幅方向、対応する壁の厚さ方向、又は中心軸Ｚに対して放射方向にガイド２０の一部を覆うように延在している。長さ方向では、各縁部はガイド２０の第１の端部２２と第２の端部２４との間に螺旋構造も形成する。
【００２６】
第２の要素２６のニブ２８は、放射方向に延在し、縁部１６及び／又は縁部１８と協働する少なくとも１つのラウンド部を有する。このことは、ニブ２８と縁部１６，１８のうちいずれか一方の縁部との間で放射状線に沿って接線接触（tangential contact）を生み出し、これにより摩擦を抑制する。
【００２７】
ガイド２０の幅は、ニブがガイド内に詰まることを防止するために、ニブ２８の幅よりも僅かに大きい。ニブ２８が２つの縁部のうち一方の縁部を主に支持し、他方の縁部とはほとんど接触しないようにすることもできる。このことは、第１の要素２０がペン本体に設けられた弾性手段によって付勢される（urge）方向に依存している。このような状況において、ニブ２８がガイド２０の第１の端部と第２の端部との間におけるすべての地点で放射状とされていれば、縁部としては十分である。
【００２８】
しかしながら、ニブ２８は、前記機構が第１の方向に作動した場合には２つの縁部のうち一方の縁部と接触可能であり、他の方向に作動した場合には他方の縁部と接触可能である。このような状況においては、両縁部１６，１８はその長さ方向全体に亘り正確に放射状とされる。
【００２９】
それにもかかわらず、ニブ２８によって縁部に作用する圧力は、ニブがガイド２０に沿ってスライドするにつれて変化する場合がある。結果的に、ガイドが、動作中の満足感のある心地良さを保証するために、その長さ方向全体に亘り放射状であることは必ずしも必要不可欠ではない。さらには、図示する実施例（図３が最も良く表わしている）では、第１の縁部１６は、ガイド２０の第１の部分３２ａのみに亘り放射方向に延在している。そして、第２の縁部１８は、第１の縁部１６の非放射状部分３２ｂと共に位置合わせされて位置した部分３４ａ全体に亘り放射方向に延在している。部分３２ｂと部分３４ｂとの間の角度及び理想的な放射方向が、アンモールド（型からの取り外し）を容易にし、型が縁部に対してスライドすることを防止する逃げ角を形成する。
【００３０】
本発明の動作を以下に説明する。
【００３１】
第２の要素２６が格納位置にある、すなわち筆記先端部が引き込み位置にある場合には、ニブ２８はガイド２０の第２の端部２４に位置している。このとき、利用者は、機構の第２の要素２６に接続された筆記具の他方の部分Ｂに対して、機構の第１の要素１０に接続された筆記具の部分Ａを回転させる。この回転運動は、ニブ２８をガイド２０に沿ってスライドさせる。従って、ニブ２８は、第１の端部１６を支持することによって、ガイド２０によって形成された経路に追従する。
【００３２】
横断方向では、第１の縁部１６は放射方向を有し、その結果として、ニブ２８の円状外形部３０ａ，３０ｂに接し、これにより摩擦を抑制する接触を実現する。
【００３３】
結果として、ガイドが変位する際には、筆記先端部を引き込み位置から引き出し位置に移動させることを目的としてニブ２８をガイド２０の第２の端部２４から第１の端部２２に向ってスライドさせることは、摩擦が抑制され、利用者の前記機構の動作に要する力が低減されことによって、容易になる。従って、ニブ２８がガイド２０の第１の端部２２に位置している、すなわち筆記先端部が引き出し位置にある場合には、ニブ２８は第２の壁１４の縁部１８を支持するようになり、縁部１８は中心軸Ｚに対して垂直方向に呈する。このようにして、第２の要素２６は、ガイド２０を形成する第１の縁部１６と第２の縁部１８との間における並進運動を防止され、これにより筆記先端部が引き出し位置で保持され利用可能となる。
【００３４】
利用者が筆記先端部を引っ込めようとする場合には、利用者は第１の要素に接続された筆記具の部分Ａを回転させて、これにより第１の要素１０を動かし、ニブ２８が第２の端部２４に向かって前記ガイド内でスライドされる。
【００３５】
図６は、本発明の機構を含むボールペン型の筆記具４２を表わす。
【００３６】
ペン４２は、第１の要素１０に確実に接続された筆記先端部４４を有している。筆記具は、筆記先端部４４から離間した部分Ｂが該部分Ｂで圧力嵌めによって係合された第２の要素２６に固定された状態で、２つの部分Ａ，Ｂによって形成された本体も有している。
【００３７】
このようにして、部分Ａ及び部分Ｂに互いに対して回転させることによって、筆記先端部４４を引っ込めるか、又は引き出した場合には、第１の要素１０は、２つの位置に筆記先端部４４を移動させることを目的として並進運動される。
【００３８】
筆記具の部分Ａによって実施される回転運動は、ニブ２８をガイド２０内でスライドさせる。
【００３９】
ニブ２８を有した第２の要素２６が筆記具の部分Ａに固定されているので、該部分Ａは並進運動される第１の要素１０であって、筆記先端部４４もこの並進運動に同調する。
【００４０】
本発明の機構の第１の要素１０は、以下のようにして製造される。
【００４１】
第１の要素１０は、プラスチック材料を射出成形することによって製造される部品である。このことを実現させるために、２つのハーフシェルは、第１の要素１０の壁１２，１４の外側部分を形成するように設けられている。２つのハーフシェルのうち一方のハーフシェルは、１８０°の角度に亘りカバーされた第１の壁１２の第１の縁部１６に対応する凹所を有する。ガイドが１８０°を越えて延在する場合には、他方のハーフシェルが第１のハーフシェルの凹所を延ばす凹所を有する。しかし、ニブのスライドを阻害する縁部上の粗い地点が生じる危険がある。コア３６は、第１の要素１０の壁１２，１４の内側部分を形成するように設けられている。コア３６は、第２の縁部１８に対応する凹所３８を有する。プラスチック材料は、コア３６と２つのハーフシェルとの間に射出される。
【００４２】
従って、シェルは径方向Ｘにおいて径方向に離間するように移動されるので、第１の要素１０の縁部１６及び鍔４０が軸Ｘの両端部から見た場合に凸状とされる２つのハーフシェルを形成し、結果的に反対方向に並進運動することによってアンモールド可能である。横断方向Ｘにおいて径方向に引き抜くことが、簡単且つ速い操作を実現するアンモールド作業を構築する。凹所３８はコア３６の長手方向の端面に位置するので、コア３６は、アンモールドに関する問題を発生させず、中心軸Ｚに平行な方向に引き抜かれる。この製造方法がアンモールドを単純且つ速くする一方で、使用時に高い快適性を実現するために適した形状を有するガイド２０を製造することも可能とする。
【００４３】
ガイドの２つの縁部がモールドの２つのハーフシェルのうち一方のハーフシェルによって作られる従来技術のモールド装置を用いて、ガイドを形成するために利用されるモールドの雄型内の一部がアンモールド方向の側面に位置した縁部によって確実に阻害されないように、ガイドが、アンモールド方向に対して所定角度を形成した拡径区間を前記ガイドの一部に有していることが必要とされる。ガイドの拡開部に対して、ニブが前記縁部の横端部と点接触するようになる。このことは、良好なスライドに対して悪影響を及ぼし、機構を早期に摩耗させるものである。
【００４４】
本発明の機構は、例として説明し示した実施例に限定される訳ではない。
【図面の簡単な説明】
【００４５】
【図１】格納位置における本発明の機構の斜視図である。
【図２】伸展位置における機構を表わす図１の類似図である。
【図３】本発明の機構の第１の要素の斜視図である。
【図４】本発明の機構の第１の要素の縦断面図である。
【図５】本発明の機構の第１の要素を製造可能とする、第１の要素及びモールドの一部の斜視図である。
【図６】図１〜５に表わす機構を含む筆記具の縦断面である。
【符号の説明】
【００４６】
１０  第１の要素
１２  第１の壁
１４  第２の壁
１６  第１の縁部
１８  第２の縁部
２０  ガイド
２４  第１の要素
２６  第２の要素
２８  ニブ
【図１】
2008507437.tif 000003
【図２】
2008507437.tif 000004
【図３】
2008507437.tif 000005
【図４】
2008507437.tif 000006
【図５】
2008507437.tif 000007
【図６】
2008507437.tif 000008
【国際調査報告】
2008507437.tif 000009
2008507437.tif 000010
2008507437.tif 000011
2008507437.tif 000012